(57)【特許請求の範囲】
【請求項１】
天井内に埋設され内部に送風ファンと同送風ファンを囲む熱交換器と電装品箱を備えるケーシング本体と、上記ケーシング本体の底面に取り付けて上記天井を覆う化粧パネルとを有する天井埋込型空気調和機において、
上記化粧パネルは、四角枠形状の外枠と同外枠より内側に配置される内枠と上記外枠と上記内枠を繋ぐ角部で形成され、上記外枠と上記内枠の間が導風通路となり、同導風通路内で隣り合う前記角部の間に形成された開口が空気吹出口となり、上記内枠の開口が空気吸込口となり、
上記空気吸込口には、四角形状の吸込グリルが着脱可能に取り付けられ、上記内枠は、底面側が開放された断面コ字状であり、上記内枠の内部に電気信号線が配線され、上記内枠の開放面は、上記吸込グリルの外周を支持するベゼルで覆われることを特徴とする天井埋込型空気調和機。
【請求項２】
上記各空気吹出口には風向板が設けられているとともに、上記角部には、上記風向板を回動させるためのステッピングモータがそれぞれ配置されており、上記ステッピングモータの電気信号線が上記内枠の内部に配線されていることを特徴とする請求項１に記載の天井埋込型空気調和機。
【請求項３】
上記内枠の四辺のうちの一辺の枠部には上記吸込グリルの回転軸の軸受部を有し、上記電気信号線は他の三辺の枠部に配線されて、上記枠部内に設けた配線出口から引き出されて上記電装品箱に接続されることを特徴とする請求項１または２に記載の天井埋込型空気調和機。
【請求項４】
上記ステッピングモータを覆うモータカバーを備え、上記モータカバーは上記角部に、上記電気信号線を上記内枠に固定することを特徴とする請求項２に記載の天井埋込型空気調和機。
【発明の詳細な説明】
【技術分野】
【０００１】
本発明は、天井埋込型空気調和機に関し、さらに詳しく言えば、電気信号線を化粧パネルに取り付ける取付構造に関する。
【背景技術】
【０００２】
天井埋込型空気調和機は、箱形のケーシング本体が天井スラブと天井パネルとの間に形成された空間に埋設される。ケーシング本体の底面（室内に向く面）には、四角形状の化粧パネルが取り付けられ、通常は、化粧パネルの中央に空気吸込口が形成され、その周りに空気吹出口が設けられている。ケーシング本体の内部には、ターボファンと、上記ターボファンの外周を囲むように配置される熱交換器と、上記熱交換器の下部に配置されるドレンパンとを備えている（例えば特許文献１参照）。
【０００３】
化粧パネルの空気吸込口には、吸込グリルが着脱可能に取り付けられており、清掃時やメンテナンス時には、吸込グリルを取り外すことにより、ケーシング本体の底部が露出するようになっている。化粧パネルの各空気吹出口には、ステッピングモータによって駆動され、運転モードに応じて空気吹出口から吹き出された調和空気を室内の所定位置に送るための可動式の風向板が取り付けられている。風向板を駆動するステッピングモータとステッピングモータの電気信号線は、化粧パネルの裏面側（ケーシング本体側を向く面）に配置されている。
【先行技術文献】
【特許文献】
【０００４】
【特許文献１】日本特許第４０５２２６４号公報
【特許文献２】日本特許公開２００７−１００９８０号公報
【発明の概要】
【発明が解決しようとする課題】
【０００５】
ところで、ステッピングモータのメンテナンス時には、ケーシング本体から化粧パネルを取り外す必要があった。化粧パネルは１辺が８０センチ以上ある大きなパネルで、かつ、天井に設置されているため、着脱作業を１人で行うことは困難であった。
【０００６】
そこで、本発明の課題は、化粧パネルをケーシング本体から取り外すことなく、風向板のメンテナンス作業を行うことができる天井埋込型空気調和機を提供することにある。
【課題を解決するための手段】
【０００７】
上述した課題を解決するため、本発明は、天井内に埋設され内部に送風ファンと同送風ファンを囲む熱交換器と電装品箱を備えるケーシング本体と、上記ケーシング本体の底面に取り付けて上記天井を覆う化粧パネルとを有する天井埋込型空気調和機において、
上記化粧パネルは、四角枠形状の外枠と同外枠より内側に配置される内枠と上記外枠と上記内枠を繋ぐ角部で形成され、上記外枠と上記内枠の間が導風通路となり、同導風通路内で隣り合う前記角部の間に形成された開口が空気吹出口となり、上記内枠の開口が空気吸込口となり、上記空気吸込口には、四角形状の吸込グリルが着脱可能に取り付けられ、上記内枠は、底面側が開放された断面コ字状であり、上記内枠の内部に電気信号線が配線され、上記内枠の開放面は、上記吸込グリルの外周を支持するベゼルで覆われることを特徴としている。
【０００８】
より好ましい態様として、上記各空気吹出口には風向板が設けられているとともに、上記角部には、上記風向板を回動させるためのステッピングモータがそれぞれ配置されており、上記ステッピングモータの電気信号線が上記内枠の内部に配線されている。
【０００９】
さらに好ましい態様として、上記内枠の四辺のうちの一辺の枠部には上記吸込グリルの回転軸の軸受部を有し、上記電気信号線は他の三辺の枠部に配線されて、上記枠部内に設けた配線出口から引き出されて上記電装品箱に接続される。
【００１０】
また、上記ステッピングモータを覆うモータカバーを備え、上記モータカバーは上記ステッピングモータを上記角部に、上記電気信号線を上記内枠に固定する。
【発明の効果】
【００１１】
本発明によれば、底面側が開放された内枠の内部に風向板のステッピングモータの電気信号線を配線して、開放面をベゼルで覆うことにより、化粧パネルをケーシング本体から取り外すことなく、風向板のメンテナンス作業を行うことができる。
【図面の簡単な説明】
【００１２】
【図１】本発明の一実施形態に係る天井埋込型空気調和機の外観斜視図。
【図２】上記天井埋込型空気調和機の要部断面図。
【図３】化粧パネルの底面側から見た状態の分解斜視図。
【図４】化粧パネルを底面側から見た斜視図。
【図５】ステッピングモータを取り外した状態の化粧パネルのコーナー部を拡大した分解斜視図。
【図６】化粧パネルの正面図。
【図７】ベゼルを底面側から見た状態を示す（ａ）正面図および（ｂ）斜視図。
【図８】化粧パネルにベゼルを取り付けた状態を示す部分断面正面図。
【発明を実施するための形態】
【００１３】
次に、本発明の実施形態について図面を参照しながら説明するが、本発明はこれに限定されない。
【００１４】
図１および図２に示すように、この天井埋込型空気調和機１は、天井スラブ（図示しない）と天井パネルＴとの間に形成された空間に収納される直方体形状のケーシング本体２と、ケーシング本体２の底面Ｂ１に取り付けられる化粧パネル３とを備えている。
【００１５】
ケーシング本体２は、四角形状の天板２１と、同天板２１の各辺から下方に延在する４枚の側板２２とを有し、底面Ｂ１（図１では底面側）が開放された箱形である。ケーシング本体２の内周面には、発泡スチロールからなる断熱材２３が設けられている。
【００１６】
ケーシング本体２の各角部には、吊下金具４が合計４箇所に設けられており、天井から吊り下げられた図示しない吊下ボルトに吊下金具４を係止することで、天井埋込型空気調和機１が天井に吊下固定される。
【００１７】
図２に示すように、ケーシング本体２の内部のほぼ中央には、送風機としてのターボファン２４が配置されており、ターボファン２４の外周には、ターボファン２４を囲むように熱交換器２５が例えば四角枠状に配置されている。
【００１８】
熱交換器２５の下部側には、冷房運転時に熱交換器２５で生成される結露水を受け止めるドレンパン６が設けられている。ドレンパン６は、露受け部６６を有する発泡スチロール樹脂製のドレンパン本体６１と、熱交換器２５を通過した調和空気を化粧パネル３の空気吹出口３２に案内する空気吹出通路６４とを備えている。ドレンパン本体６１の露受け部６６の表面（熱交換器２５と対向する面）には、補強材を兼ね防水性の高い硬質樹脂製のドレンシート６２が配置されている。
【００１９】
ドレンパン６は平面視で四角枠状に形成されており、その四角枠内が化粧パネル３の空気吸込口３１に連通する空気吸込通路６３となっている。空気吸込通路６３内には、空気吸込口３１から吸い込まれた空気をターボファン２４の吸込側へ案内するベルマウス２７が設けられている。ベルマウス２７の空気吸込口３１側の一部分には、電装品箱２８が設けられている。電装品箱２８内には、天井埋込型空気調和機１を制御する電装部品が収納されている。
【００２０】
図３から図５を併せて参照して、化粧パネル３は、四角枠形状の外枠７０と、外枠７０より内側に配置される枠状の内枠７１と、外枠７０と内枠７１の角を繋ぐ角部７６で形成される。外枠７０と内枠７１の間の開口部が導風通路３４となり、導風通路３４内で隣り合う角部７６の間に形成された開口が空気吹出通路６４に合わせた空気吹出口３２となり、内枠７１の開口が空気吸込口３１となる。
【００２１】
化粧パネル３は、外枠７０のコーナー部３６に設けたネジ孔３６１を吊下金具４とネジで止めることでケーシング本体２に吊り下げて固定される。外枠７０のコーナー部３６はコーナーパネルＣで覆われる。
【００２２】
化粧パネル３は、化粧パネル３の空気吸込口３１に着脱自在に取り付けられる吸込グリル５と、化粧パネル３の空気吹出口３２に軸支される４つの風向板３３と、４つの風向板３３をそれぞれ駆動するステッピングモータ３５と、ステッピングモータ３５を化粧パネル３に固定する４つのモータカバー３８と、空気吹出口３２の内周側を形成する発泡スチロール製の補助フレーム３７と、吸込グリル５を受け且つ補助フレーム３７を化粧パネル３に固定するベゼル７２とで構成される。
【００２３】
ステッピングモータ３５は、モータカバー３８内に収納される。モータカバー３８は、係止爪３８２を外枠７０の係止部７０１に係止させ、さらにネジ孔３８１（図６参照）を内枠７１のネジ止め部７１５にネジ止めすることにより、化粧パネル３の角部７６に取り付けられる。その際、ステッピングモータ３５の電気信号線ＥＬは、角部７６と内枠７１との間に立設されたリブ７１６に設けられた切欠溝７１４から内枠７１側に引き出される。
【００２４】
各空気吹出口３２には、風向板３３が回動可能に配置されている。図３を参照して、各風向板３３は、空気吹出口３２の形状に合わせて直線状に形成された直線部３３１と、直線部３３１の両端に一体的に形成され、導風通路３４を覆う傾斜部３３２，３３２とを備えている。
【００２５】
風向板３３の裏面には、回転軸（図示しない）が設けられている。この実施形態において、回転軸は直線部３３１の左右両端および中央の３箇所に同一軸線上に設けられている。
【００２６】
３箇所に設けられた回転軸のうち２つ（右側と中央の回転軸）は、図６に示す化粧パネル３に設けられた軸受部３９１，３９２に係止される。残る１つの回転軸（左側の回転軸）は、後述するステッピングモータ３５の回転駆動軸３５１に接続される。
【００２７】
図５および図６に示すように、導風通路３４の角部７６には、各風向板３３を回動するステッピングモータ３５が配置されている。この実施形態において、ステッピングモータ３５は、１枚の風向板３３に対して１つずつ空気吹出口３２の一方の短辺側に隣接して設けられている。
【００２８】
これによれば、運転停止時において各風向板３３は、図１に示すように、空気吹出口３２に沿って水平となるように回動し、空気吹出口３２を塞ぐ。その際、隣接する風向板３３の傾斜部３３２同士が互いに突き合わせられることにより、各導風通路３４も一緒に塞がれる。
【００２９】
また、運転時においては、各風向板３３が運転状況に応じて回動し、空気吹出口３２が化粧パネル３の底面Ｂ２に現れる。各空気吹出口３２から吹き出された空気の多くは、風向板３３の表面に沿って案内され、所定の吹出角度で四辺方向から室内に向けて吹き出される。
【００３０】
また、空気吹出口３２から吹き出された空気の一部は、傾斜部３３２に沿って案内され、化粧パネル３の四隅の角部７６から室内に向けて吹き出される。このようにして、この実施形態における天井埋込型空気調和機１は、化粧パネル３の各辺からの四方向に加え、４箇所の角部７６を含めた全周方向（８方向）に向かって調和空気が吹き出す。
【００３１】
図６および図７を参照して、内枠７１は、空気吸込口３１の外周を囲むように４辺に沿って配置された４つの枠部７１ａ〜７１ｄを備えている。ここで、内枠７１の４箇所の枠部７１ａ〜７１ｄのうち、枠部７１ｃには、ベゼル７２の切欠部７２６との間に吸込グリル５の回転軸５３を係止するための軸受部７５が設けられている。軸受部７５は、この例では３箇所に等間隔に配置されている。
【００３２】
内枠７１の枠部７１ａ，７１ｂ，７１ｄは、空気吸込口３１に面する側板７１２と、導風通路３４に面する側板７１１と、各側板７１１，７１２のケーシング本体２と対向する側の上端同士を連結する底板７１３とを有し、底面（図５で上面）が開放された開放面７１０となる断面コ字状（樋状）に形成されている。
【００３３】
この例において、電子信号線ＥＬは、化粧パネル３の四隅に１箇所ずつ配置されたステッピングモータ３５から引き出された４本の電気信号線ＥＬが配線されている。
【００３４】
内枠７１の枠部７１ａ〜７１ｄのうち、枠部７１ａ，７１ｂ，７１ｄの内周面には、電気信号線ＥＬを引っ掛けるための係止フック７３が側板７１１，７１２から突設されている。この実施形態において、係止フック７３は、枠部７１ａ，７１ｂ，７１ｄごとに５箇所ずつ設けられている。
【００３５】
図７および図８に示すように、ベゼル７２は、内枠７１の各枠部７１ａ〜７１ｄの開放面７１０を覆うように取り付けられる四角い環状の枠体であり、内枠７１にネジ止めされる。
【００３６】
ベゼル７２は、内枠７１の側板７１１に沿って内枠７１内に差し込まれる第１案内板７２１と、第１案内板７２１の上端（ケーシング本体２と対向する側）から直角に折り曲げられ、内枠７１の底板７１３に対して平行になる第２案内板７２２とが断面Ｌ字型に形成されたものからなる。
【００３７】
第１案内板７２１の他端には、化粧パネル３の表面とほぼ同一平面となるように  第１案内板７２１の他端からほぼ直角に折り曲げられ、化粧パネル３の表面の一部を構成するフランジ部７２３が形成されている。第２案内板７２２の他端には、内枠７１の他方の側板７１２の外周面（空気吸込口３１と対向する面）に係合する係合板７２４が形成されている。
【００３８】
これによれば、図８に示すように、内枠７１の中にステッピングモータ３５の電気信号線ＥＬが収納された状態で、内枠７１とベゼル７２とが化粧パネル３の中心位置に位置決めされてネジ止めされる。
【００３９】
内枠７０の一辺に当たる枠部（この例では枠部７１ｂ）には、内枠７０内に引き回された電気信号線ＥＬを外部に引き出す配線出口７８が設けられている。配線引出口７８は、電装品箱２８（図２参照）に隣接して設けられてた切欠部であって、配線出口７８から引き出された電気信号線ＥＬが電装品箱２８に接続される。
【００４０】
吸込グリル５にはさらに、吸込グリル５を取り外す際に用いられるリリースボタン５４が吸込グリルの２箇所の隅部に対向的に設けられている。これによれば、リリースボタン５４を押すことにより、吸込グリル５の背面側に設けられたラッチ（図示しない）が外れ、内枠７１のリリースボタン用孔７７との係合が解除される。
【００４１】
以上説明したように、本発明によれば、化粧パネル３の底面が開放された内枠７１の内部に風向板３３のステッピングモータ３５の電気信号線ＥＬを配線して、開放面７１０をベゼル７２で覆うことにより、化粧パネル３をケーシング本体２から取り外すことなく、風向板３３のメンテナンス作業を行うことができる。
【符号の説明】
【００４２】
１  天井埋込型空気調和機
２  ケーシング本体
２８  電装品箱
３  化粧パネル
３１  空気吸込口
３２  空気吹出口
３３  風向板
３４  導風通路
３５  ステッピングモータ
３６  コーナー部
３８  モータカバー
４  吊下金具
５  吸込グリル
６  ドレンパン
７０  外枠
７１  内枠
７１０  開放面
７１１，７１２  側板
７１３  底板
７１４  切欠溝
７２  ベゼル
７２１  第１案内板
７２２  第２案内板
７６  角部
ＥＬ  電気信号線
【図１】
0006573068.tif 000002
【図２】
0006573068.tif 000003
【図３】
0006573068.tif 000004
【図４】
0006573068.tif 000005
【図５】
0006573068.tif 000006
【図６】
0006573068.tif 000007
【図７】
0006573068.tif 000008
【図８】
0006573068.tif 000009